(57)【要約】【課題】フィルム構成のノズル部の開封部を、容易に開閉可能とする開閉機構付きパンチを提供する。【解決手段】フィルム構成のパウチ本体にノズル部が形成され、前記パウチ本体には前記ノズル部の開封部を開閉する開閉機構が設けられた開閉機構付きパウチにおいて、前記開閉機構は、前記パウチ本体の縁部のシール部に沿って移動可能のスライド部と、該スライド部に連結され前記スライド部の移動動作に連動して前記ノズル部の開封部を開閉する開閉手段とを備えていることを特徴とする。【選択図】図１
2014114021.tif 000002
【特許請求の範囲】
【請求項１】
フィルム構成のパウチ本体にノズル部が形成され、前記パウチ本体には前記ノズル部の開封部を開閉する開閉機構が設けられた開閉機構付きパウチにおいて、
前記開閉機構は、前記パウチ本体の縁部のシール部に沿って移動可能のスライド部と、該スライド部に連結され前記スライド部の移動動作に連動して前記ノズル部の開封部を開閉する開閉手段とを備えていることを特徴とする開閉機構付きパウチ。
【請求項２】
前記開閉手段は、前記スライド部のスライド方向の運動を、ノズル部両側縁のシール部の間隔を狭める方向の運動に変換する運動変換機構を備えることを特徴とする請求項１に記載の開閉機構付きパウチ。
【請求項３】
前記スライド部は、前記ノズル部の一方側のシール部に沿って移動自在に取り付けられ、
前記運動変換機構は、一端が前記スライド部に回転自在に取り付けられ、他端が前記ノズル部の他方のシール部に回転自在に取り付けられているリンクアーム部を備えることを特徴とする請求項２に記載の開閉機構付きパウチ。
【請求項４】
前記開閉手段はノズル部の開封部を開閉する蓋体部を備え、前記蓋体部の開閉動作とスライド部のスライド動作が前記運動変換機構のリンクアーム部により連動し、前記蓋体部の開位置ではスライド部が他方のシール部に接近して、ノズル部の両側縁を近寄せる方向に圧縮してノズル部の開封部の開口を促す構成となっている請求項３に記載の開閉機構付きパウチ。
【請求項５】
前記リンクアーム部には、閉位置でノズル部の流路上に位置する案内突起が設けられている請求項３または４に記載の開閉機構付きパウチ。
【請求項６】
前記スライド部が設けられるシール部には折り返し部が形成され、前記スライド部は折り返し部を案内としてスライドする構成となっている請求項１乃至５のいずれかの項に記載の開閉機構付きパウチ。
【請求項７】
前記折り返し部は、前記ノズル部の一方のシール部とともに、前記ノズル部の一方のシール部と同じ側のパウチ胴部のシール部にも形成されている請求項６に記載の開閉機構付きパウチ。
【請求項８】
前記運動変換機構は、前記スライド部のスライド方向の運動を、ノズル部両側縁のシール部の間隔を拡げる方向の運動に変換することを特徴とする請求項６または７に記載の開閉機構付きパウチ。
【請求項９】
前記開閉手段は、ノズル部両側縁のシール部の間隔を拡げる方向の運動によりノズル部の流路を閉塞させて開封部を閉口する請求項８に記載の開閉機構付きパウチ。
【請求項１０】
前記開閉手段として、スライド部に連結される蓋体部を設けた請求項１に記載の開閉機構付きパウチ。
【請求項１１】
前記ノズル部を構成する表裏のフィルム部分が、互いに離れる方向に癖付けられている請求項１乃至１０のいずれかの項に記載の開閉機構付きパウチ。
【請求項１２】
前記ノズル部は、前記パウチ本体の一方の側縁に沿う方向に延びる構成となっている請求項１乃至１１のいずれかの項に記載の開閉機構付きパウチ。
【請求項１３】
前記開閉手段は、パウチ本体に対して着脱自在に構成されている請求項１乃至１２のいずれかの項に記載の開閉機構付きパウチ。
【発明の詳細な説明】
【技術分野】
【０００１】
本発明は、フィルム構成のパウチに関し、特に、開封部の開閉機構を備えたパウチに関する。
【背景技術】
【０００２】
従来から、開閉機構を備えたフィルム製のパウチとしては、たとえば、特許文献１に記載のような注出具付きのパウチが知られている。このパウチは、フィルム製のパウチのシール部に、別体構成の硬質の注出具を熱溶着した構成で、キャップを螺合できるのでリシールが確実にできるものの、部品点数が多くなり、また、注出具を熱溶着する工程が必要となる。
【０００３】
一方、特許文献２には、パウチの上端角部に位置するノズル部の開封部をそのまま注口とするパウチにおいて、その開封部を開閉する帽体を設けたものが開示されている。このパウチの場合、ノズル部の開封部をそのまま注口とするので、特別の注出具を必要としないが、ノズル部の開封部は腰の無いフィルム構成なので、帽体を装着しにくいという問題があった。
【先行技術文献】
【特許文献】
【０００４】
【特許文献１】特開２００２−２２５８８５号公報
【特許文献２】特開２００１−３１１１７号公報
【発明の概要】
【発明が解決しようとする課題】
【０００５】
本発明は、上記した従来技術の問題点を解決するためになされたもので、その目的とするところは、フィルム構成のノズル部の開封部を、容易に開閉可能とする開閉機構付きパウチを提供することにある。
【課題を解決するための手段】
【０００６】
上記目的を達成するために、本発明の開閉機構付きパウチは、フィルム構成のパウチ本体にノズル部が形成され、前記パウチ本体には前記ノズル部の開封部を開閉する開閉機構が設けられた開閉機構付きパウチにおいて、
前記開閉機構は、前記パウチ本体の縁部のシール部に沿って移動可能のスライド部と、該スライド部に連結され前記スライド部の移動動作に連動して前記ノズル部の開封部を開閉する開閉手段とを備えていることを特徴とする。
【発明の効果】
【０００７】
本発明によれば、剛性のあるシール部に沿ってスライド部を移動させ、このスライド部に連動して開閉手段が開閉動作をするので、スライド部をスライド操作するだけで容易に開閉操作を行うことができる。
【０００８】
また、本発明は次のように構成することもできる。
１．前記開閉手段は、前記スライド部のスライド方向の運動を、ノズル部両側縁のシール部の間隔を狭める方向と拡げる方向の狭める方向の運動に変換する運動変換機構を備えた構成とする。
このようにすれば、スライド部のスライドにより、ノズル部を確実に開閉することができる。特に、開いた際に、ノズル部の開口面積を大きくでき、内容物を注出しやすい。
２．前記運動変換機構を、一端が前記スライド部に回転自在に取り付けられ、他端が前記ノズル部の他方のシール部に回転自在に取り付けられているリンクアーム部を備えた構成とすれば、スライド部の動きに連動するリンクアーム部の揺動により、ノズル部の間隔を変化させることができ、簡単な構成でノズル部を開閉することができる。
３．また、前記開閉手段はノズル部の開封部を開閉する蓋体部を備え、前記蓋体部の開閉動作とスライド部のスライド動作が前記運動変換機構のリンクアーム部により連動し、前記蓋体部の開位置ではスライド部が他方のシール部に接近して、ノズル部の両側縁を近寄せる方向に圧縮してノズル部の開封部の開口を促す構成としてもよい。
蓋体部を設けることで、運動変換機構によるノズル部の開閉だけでなく、開封部を確実に閉鎖することができる。
４．リンクアーム部には、閉位置でノズル部の流路上に位置する案内突起を設ければ、ノズル部のよじれが防止されて開閉操作がスムーズになる。
５．スライド部が設けられるシール部には折り返し部が形成され、前記スライド部は折り返し部を案内としてスライドする構成としておけば、シール部の剛性が増大し、ノズル部の開封部の開閉動作を容易に行うことができる。
６．折り返し部は、ノズル部の一方のシール部とともに、ノズル部の一方のシール部と同じ側のパウチ胴部のシール部にも形成すれば、パウチ胴部の剛性が高くなり、開閉機構のスライド部の操作がより簡単になる。
７．運動変換機構は、スライド部のスライド方向の運動を、ノズル部両側縁のシール部の間隔を拡げる方向の運動に変換するようにすれば、スライド動作によって開封部の閉口を促すことができる。
８．前記開閉手段は、ノズル部両側縁のシール部の間隔を拡げる方向の運動によりノズル部の流路を閉塞させて開封部を閉口する構成とすることができる。
９．また、ノズル部両側縁のシール部の間隔を狭める方向、拡げる方向の運動変換機構を設けずに、開閉手段として、スライド部に連結される蓋体部のみを設ける簡易な構成としてもよい。
このような構成としても、蓋体部を位置合わせすることなく、容易に開閉することができる。
１０．前記ノズル部を構成する表裏のフィルム部分を、互いに離れる方向に癖付けておけば、常時開状態となり、フィルム構成のノズル部が閉塞することを防止することができる。
１１．前記ノズル部を、前記パウチ本体の一方の側縁に沿う方向に延びる構成としておけば、ノズル部に閉塞点が形成されにくく、開閉動作させやすい。
１２．また、開閉手段を、パウチ本体に対して着脱自在に構成すれば、繰り返し使用可能となる。
【図面の簡単な説明】
【０００９】
【図１】図１は本発明の実施の形態１に係る開閉機構付きパウチを示すもので、（Ａ）は閉じた状態の正面図、(Ｂ)は開いた状態の正面図、(Ｃ)は(Ａ)のノズル部の閉状態を示す模式図、(Ｄ)は(Ｂ)のノズル部の開状態を示す模式図である。
【図２】図２(Ａ)は図１(Ａ)の要部を拡大して示す斜視図、図２(Ｂ)は図１(Ｂ)の要部を拡大して示す斜視図、図２(Ｃ)は図２(Ａ)の閉状態におけるリンクアーム部の断面図、図２(Ｄ)は開閉アタッチメントの蓋体部の溝形状を表す側面図、図２(Ｅ)は図２(Ｄ)の蓋体部の溝形状の他の構成例を示す図である。
【図３】図３(Ａ)は図１の開閉機構付きパウチのパウチ本体と開閉アタッチメントを分解して示す図、図３(Ｂ)は(Ａ)のサイドシール部の断面図、図３(Ｃ)はサイドシール部上部の折り返し前の状態を示す図である。
【図４】図４は本発明の実施の形態２に係る開閉機構付きパウチを示すもので、(Ａ)は閉状態の概略正面図、(Ｂ)は開状態の概略正面図、（Ｃ）は（Ａ）のノズル部開封部の概略図、（Ｄ）は（Ｂ）のノズル部開封部の概略図である。
【図５】図５は本発明の実施の形態３に係る開閉機構付きパウチの正面図である。
【図６】図６は本発明の他の実施の形態に係る開閉機構を示すもので、(Ａ)は閉状態の要部正面図、(Ｂ)は開状態の要部正面図である。
【発明を実施するための形態】
【００１０】
以下に、本発明を図示の実施の形態に基づいて説明する。
［実施の形態１］
図１は、本発明の実施の形態１に係る開閉機構付きパウチを示している。図において、１は開閉機構付きパウチ全体を示しており、この開閉機構付きパウチ１は、フィルム構成のパウチ本体１０にフィルムで構成されるノズル部１１が形成されており、パウチ本体１０にはノズル部１１の開封部１１ａを開閉する開閉機構としての開閉アタッチメント３０が取り付けられている。
【００１１】
パウチ本体１０は、いわゆるスタンディングパウチで、図３に示すように、表裏一対のフィルム１０２，１０３と二つ折の底面フィルム１０５を張り合わせた構成である。表面フィルム１０２と裏面フィルム１０３は四角形状で、重ね合わされた左右両側辺部がサイドシール部１２，１３にて所定幅でヒートシールされ、表面フィルム１０２と裏面フィルム１０３の下端部には底面フィルム１０５が、底部シール部１５にてヒートシールされている。また、パウチ本体１０の上端縁に設けられる充填口は、トップシール部１４にて封止されている。
【００１２】
パウチ本体１０の上端角部には、ノズル部１１が設けられており、この実施の形態では、ノズル部１１とトップシール部１４の間には、ノズル部１１とトップシール部１４を区分するための区分シール部１７が形成されている。この区分シール部１７には、Ｖ字状に切れ込む切込み部１６が設けられ、区分シール部１７は、切込み部１６の縁に沿ったＶ字形状となっている。ノズル部１１の一側は、サイドシール部１２の上部シール部分１２ａによってシールされ、ノズル部１１の他側は、Ｖ字状の区分シール部１７の一方の側縁シール部分１７ａによってシールされている。
また、ノズル部１１を構成するフィルム部分には、外側に張り出す山折り部１１ｃが形成されており、流路を開く方向に癖付けされている。なお、図示例では、ノズル部１１の先端部はラインＮ２に沿って開封されるものとする。
【００１３】
サイドシール部１２は、所定幅でもって折り返し部２０にて折り返されている。折り返し部２０は、図３（Ｂ）、（Ｃ）に示すように、サイドシール部１２の内側縁、あるいは内側縁から所定寸法だけ内側に離れた位置Ｎ１で折り返されているが、サイドシール部１２の中途部分を折り返してよい。
また、折り返し部２０は、図示例ではノズル部１１の途中まで連続して直線的に折り返されている。サイドシール部１２の上部シール部分１２ａは、図３（Ｃ）に示すように、折り返し部２０と連続するように、屈曲部１２ｂを介して一段内側に位置しており、ノズル部１１の開封部に近い部分は折り返されていない。
また、折り返し部２０は、特に図示しないが、単一の折り返し線で折り返してもよいし、平行な複数の折り返し線にて複数段階に折り返していてもよい。
図示の例では、ノズル部１１の反対側の側縁であるサイドシール部１３も底部から上端まで折り返されている。サイドシール部を折り返したパウチについては、例えば、ＷＯ２００８／００１８２９に開示されている。
【００１４】
開閉アタッチメント３０は、図１及び図２に示すように、パウチ本体１０のサイドシール部１２に沿って移動自在に組み付けられるスライド部４０と、スライド部４０に連結されスライド部４０の移動動作に連動して前記ノズル部１１の開封部１１ａを開閉するためのリンクアーム部５０及び蓋体部６０とを備えている。この実施の形態では、リンクアー
ム部５０と蓋体部６０が開閉手段を構成する。
スライド部４０は、図２（Ｃ）に示すように、一側面が開口する断面コ字形状の長尺部材で、長方形状の一対の把持片４１，４２が所定間隔を隔てて対向配置され、反開口側の側縁が連結部４３によって連結された構成となっている。一対の把持片４１，４２の間隔は、ほぼ折り返し部２０の厚さ程度に設定され、一対の把持片の４１，４２対向面は、パウチ本体１０の側縁に表裏面を挟むように接触している。
【００１５】
一方の把持片４１はパウチ本体１０の表側から折り返し部２０に接触し、他方の把持片４２はパウチ本体１０の裏側に接触している。そして、一方の把持片４１に設けられた抜け止め係合部４４は、図示例では把持片４１から、折り返し部２０の厚さ程度突出し、折り返されたサイドシール部１２の端縁である折り返し端縁２２に係合している。この抜け止め係合部４４は、把持片４１の長手方向全長にわたって延びている。
【００１６】
抜け止め係合部４４と連結部４３間の間隔は、折り返し部２０の幅とほぼ同一であり、スライド部４０の連結部４３の間で、折り返し部２０を幅方向に挟む構成となっている。
したがって、スライド部４０は、一対の把持片４１，４２で折り返し部２０を含むパウチ本体１０の側縁部を表裏面から挟み、連結部４３と抜け止め係合部４４との間で幅方向に挟んだ状態で、折り返し部２０に沿ってスライドする構成となっている。
【００１７】
リンクアーム部５０は、一端がスライド部４０に枢支部５７を介して回転自在に取り付けられ、他端がスライド部４０に対してノズル部１１の流路１１ｂを隔てた他方のシール部である区分シール部１７に回転自在に取り付けられている。この例では、区分シール部１７の付け根部１７ｂに枢支部５８を介して回転自在に連結されている。したがって、リンクアーム部５０は、スライド部４０の直線移動に伴って、枢支部５８を中心に揺動する機構となっている。
この例では、リンクアーム部５０は、パウチ本体１０のノズル部１１を表裏面から所定間隔を隔てて挟むように一対設けられ、枢支部５８に固定される部分は、パウチ本体との間にスペーサ部５１を介して所定を保持している。
【００１８】
また、スライド部４０側の枢支部もスペーサ部５２を介して回転自在に連結されており、これらのスペーサ部５１、５２によって、パウチ本体１０のノズル部１１の表裏面との間に所定寸法の間隔を保持している。スペーサ部５１、５２は一例であり、リンクアーム部５０をノズル部１１と所定間隔を保持した状態で支持する構成であればよく、リンクアーム部５０自体に凸部を設けていてもよいし、また、スライド部４０側の枢支部については、スライド部４０の厚み自体を厚くしておいてもよい。
また、リンクアーム部５０の裏側には、閉位置でノズル部１１の流路上に位置する案内突起５３が設けられている。この案内突起５３は開位置では、流路から外れる位置となるように設けられる。
案内突起５３により、スライド部４０の操作中もリンクアーム部５０とノズル部１１表面との間隔が適切に維持され、ノズル部１１のよじれるような変形を防止して、流路の開閉がスムーズに行われるようにできる。
なお、スライド部４０には、操作を容易にするために、適宜、指掛け部５５を設けてもよい。
【００１９】
蓋体部６０は、リンクアーム部５０に対して、鋭角的に伸びる蓋体アーム部７０を介してリンクアーム部５０と一体的に連結されており、リンクアーム部５０の回転運動に連動して蓋体部６０がノズル部１１の開封部１１ａに対して、枢支部５８を軸に回動して上下に接離する構成となっている。すなわち、蓋体部６０の開閉動作とスライド部４０のスライド動作が前記リンクアーム部５０及び蓋体アーム部７０により連動し、蓋体部６０の開位置ではスライド部４０が区分シール部１７の側縁シール部分１７ａにに接近して、ノズ
ル部１１の両側縁を近寄せる方向に圧縮し、ノズル部１１の開封部１１ａの開口を促す構成となっている。
蓋体部６０には、閉塞時にノズル部１１の開封部１１ａが嵌り込む溝６２が設けられ、開封部１１ａを表裏から挟みこんで封止する構成となっている。この溝６２の入り口側の端部６２ａは、開封部１１ａを受け入れやすくするために、テーパーあるいは円弧状に拡がっており、開封部１１ａを受け入れやすい構成となっている。
図示の例では蓋体部６０は側面視コの字状だが、ノズル部１１を囲うように底面視ロの字状でもよい。
開封部１１ａを挟み込んで封止する構成の場合天面はなくてもよく、上下が貫通した構成とすれば、内容物が付着しても簡単に洗浄除去できる。
【００２０】
次に、本発明の実施の形態に係る開閉機構付きパウチのノズル部の開閉操作について説明する。
ノズル部１１の開封部１１ａを閉じた状態から内容液を注出する際には、スライド部４０を上方にスライドさせる。閉じた状態ではスライド部４０とリンクアーム部５０の枢支部５８間の間隔は、ほぼリンクアーム部５０の長さ分であり、リンクアーム部５０によって、ノズル部１１の付け根のフィルム部分が直線的に張りを持って閉じた状態となっている。蓋体部６０もノズル部１１の開封部１１ａに被着されている。  この状態からスライド部４０を上方に移動させると、リンクアーム部５０の枢支部５８とスライド部４０の間隔が狭くなり、スライド部４０と枢支部５８とで挟まれるフィルム部分が互いに外側に弓なりに反り、ノズル部１１の流路１１ｂが開く。この実施の形態では、ノズル部１１のフィルム部分に山折り部１１ｃが張出し成形されているので、互いに外向きに反りやすく、流路１１ｂを大きく開くことができる。
【００２１】
一方、リンクアーム部５０と一体的に設けられる蓋体アーム部７０が回転し、蓋体部６０が、ノズル部１１の開封部１１ａから離れてトップシール部１４側に逃げるように上方に移動する。この蓋体部６０の反ノズル部側の端部がトップシール部１４に当接し、当接位置で開き度合いが最大となる。
この開状態は、スライド部４０と折り返し部２０との接触面間の摩擦によって保持され、スライド部４０から手を離しても、開状態が保持され、ノズル部１１から内容物を注出させることができる。蓋体部６０に、トップシール部１４に食い込む溝を設けておけば、開状態の保持が確実となる。
【００２２】
次に、閉塞する場合には、スライド部４０を下方にスライドさせる。スライド部４０が下方に移動すると、リンクアーム部５０によって、徐々に、サイドシール部１２が外側に押し出され、区分シール部１７の付け根部部分１７ｂとスライド部４０間の間隔が拡がり、ノズル部１１の開き度合いが小さくなっていき、間隔が最大となった時点で、ノズル部１１の表裏フィルム部分が密着して開封部１１ａが閉塞される。一方、この時点で、開封部１１ａの上端に蓋体部６０の溝６２が嵌り込み、開封部１１ａの一対のフィルム片を挟みこまれ、確実にシールされる。
なお、図２(Ｅ)に示すように、蓋体部６０の溝６２に屈曲部６２ｃを設けておけば、シールがより確実になる。
【００２３】
このように、本実施の形態によれば、剛性のあるサイドシール部１２に沿って移動するスライド部４０に連動させてリンクアーム部５０を介してノズル部１１の開閉操作をするので、スライド部４０をスライド操作するだけで容易に開閉動作を行うことができる。特に、開いた際に、ノズル部１１の開口面積を大きくでき、内容物の注出性が良好となる。
なお、以上の説明ではスライド部４０を操作したが、スライド部４０と連動している蓋体部６０側を操作して開閉することもできる。また、蓋体部６０に指掛け部を設けてもよい。
【００２４】
次に、本発明の他の実施の形態について説明する。
以下の説明では，主として上記実施の形態１と異なる構成についてのみ説明し、同一の構成部分については、同一の符号を付して説明を省略する。
［実施の形態２］
図４は、本発明の実施の形態２に係る開閉機構付きパウチを示している。
このパウチは、開閉機構として、蓋体部の無いリンクアーム部機構だけで開閉する構成するようにしたものである。
この実施の形態２も、実施の形態１と同様に、スライド部４０が、ノズル部１１の一方のサイドシール部１２に沿って移動自在に取り付けられている。そして、スライド部４０の動きに連動するリンクアーム部５０の揺動により、ノズル部１１の間隔を変化させ、リンクアーム部５０の動きに連動して、開位置ではスライド部４０がリンクアーム部５０の固定部側に接近し、ノズル部１１の両側縁を近寄せる方向に圧縮してノズル部１１の開封部１１ａの開口を促し、閉位置ではノズル部１１の両側縁のシール部の間隔を拡げる方向の運動により、ノズル部１１の流路１１ｂを閉塞させて開封部１１ａを閉口する構成となっている。
この実施の形態２では、実施の形態１と異なり、開操作時には、スライド部４０を下方に移動させ、閉操作時には、スライド部４０を上方に移動させる点で、上記実施の形態１と異なる。
もちろん形態１と同様に、上方に操作して開位置、下方に操作して閉位置でもよく、中間位置で閉止、上または下に操作して開口させることもできる。
なおノズル部１１の山折り部１１ｃに関し、閉位置での流路１１ｂの閉塞を確実にする点から、開封部１１ａからノズル部１１の基部に至る間に山折り部１１ｃの形成されない部位を設けておくのが望ましい。
【００２５】
［実施の形態３］
図５は、本発明の実施の形態３に係る開閉機構付きパウチを示している。
この開閉機構付きパウチは、実施の形態１とは異なり、ノズル部１１側縁のシール部の間隔を狭める方向と拡げる方向の運動変換機構を設けずに、開閉手段として、スライド部４０に連結される蓋体部６０のみを設けたものである。
したがって、スライド部４０と蓋体部６０は、連結部材としての連結バー８０によって連結されているのみである。このような構成としても、スライド部４０が折り返し部２０に係合して操作方向が上下に規制されるので、蓋体部６０を位置合わせすることなく、容易に開閉することができるとともに、不用意に脱落することがない。
図示の例では、ノズル部１１が一方のサイドシール部１２に沿って上方に延びる形態のパウチ本体１０と組み合わせて、蓋体部６０が上から被さるように開封部１１ａを閉止する構成となっているが、ノズル部が斜め上方に延びる形態、あるいはサイドシール部に向かって側方に延びる形態のパウチ本体と組み合わせることもできる。
これらのパウチ本体では、サイドシール部とノズル部との間に区分シール部（および切り込み部）が形成されるので、開閉アタッチメントを、蓋体部がスライド部の上方に直列に連結された形態として、スライド部を胴部のサイドシール部に設けた折り返し部に係合させ、蓋体部を区分シール部まで下げて開口、上げて閉止する構成とすることができる。
なお、ノズル部が斜め上方に延びるパウチ本体では、いずれの形態の開閉アタッチメントとの組み合わせでも可能である。
【００２６】
なお、本発明は上記実施の形態に限定されるものではなく、本発明の趣旨を範囲で、種々の変更が可能である。
たとえば、図６(Ａ)、(Ｂ)は、蓋体部６０をトップシール部１４に沿ってスライドさせて開閉する構成としたものである。このようにすれば、トップシール部１４に沿って蓋体部６０を開閉操作すると、蓋体アーム部７０と一体のリンクアーム部５０が揺動し、サイ
ドシール部１２のスライド部４０が上下にスライドして、ノズル部１１を開閉するようになっている。蓋体部６０のスライド運動と蓋体アーム部７０の揺動の動きを連動させるために、蓋体部６０と蓋体アーム部７０の枢支部を長穴としている。
【００２７】
また、図示しないが、区分シール部の枢支軸の軸孔に縁部まで切り込みを入れて、枢支軸を上部から装着可能とすれば、開閉アタッチメントの着脱が容易になる。
また、リンクアーム部等の枢支部については、軸ではなくて、樹脂ヒンジ等にしてもよく、樹脂ヒンジとすれば、開閉アタッチメントを一体成形することが可能となる。
また、リンクアーム部を表裏一対設けたが、表側あるいは裏側のみに設けるようにしてもよい。
一対のスペーサ部５１が区分シール部１７と面接触することにより、枢支部５８が安定してリンクアーム部５０の揺動がスムーズになるので、スペーサ部をリンクアーム部から独立させ、区分シール部を広い面積で挟み込むようにして、安定性を増すこともできる。
スライド部は、区分シール部側のシール部に設けてもよい。その場合、リンクアーム部の他端側の枢支部はサイドシール部１２側に回転自在に取り付ける。
さらに、ノズル部とトップシール部の間の区分シール部にＶ字状の切込み１６が設けられている例について説明したが、区分シール部に切込みがなくてもよい。また前述のとおり、ノズル部が斜め上方に延びる形態や側方に延びる形態とも組み合わせできる。
また、本発明が適用されるパウチとして、スタンディングパウチを例にとって説明したが、スタンディングパウチに限定されるものではなく、三方シール袋、四方シール袋、ガゼット袋等種々の形式のパウチに適用可能である。
【符号の説明】
【００２８】
１    開閉機構付きパウチ
１０  パウチ本体
１１  ノズル部、１１ａ  開封部、１１ｂ  流路、１１ｃ  山折り部
１２、１３  サイドシール部
１２ａ  上部シール部分、１２ｂ  屈曲部、
１４  トップシール部、
１５  底部シール部
１６  切込み部
１７  区分シール部、１７ａ  側縁シール部分、１７ｂ  付け根部分
２０  折り返し部、２２  端縁
３０  開閉アタッチメント
４０  スライド部、
４１，４２  把持片、４３  連結部、４４  係合部、
５０  リンクアーム部、
５１、５２  スペーサ部、
５３  案内突起
５７  枢支部（揺動側）、５８  枢支部（固定側）
６０  蓋体部、
６２  溝、６２ａ  入口側端部、６２ｃ  屈曲部
７０  蓋体アーム部
８０  連結バー
１０２，１０３  表面フィルム、裏面フィルム
１０５  底面フィルム
【図１】
2014114021.tif 000003
【図２】
2014114021.tif 000004
【図３】
2014114021.tif 000005
【図４】
2014114021.tif 000006
【図５】
2014114021.tif 000007
【図６】
2014114021.tif 000008